(57)【要約】【課題】必要な耐火性を有するうえで、重量を小さくして、耐久性を向上させることができ、経済的に実施できるユニット建物を提供する。【解決手段】１階の建物ユニット１Ａの上に２階の建物ユニット１Ｂを組み付けて成るユニット建物１であって、１階の建物ユニット１Ａ及び２階の建物ユニット１Ｂは、天井側にＡＬＣ板から成る天井パネル６がそれぞれ設けられており、床側にはＡＬＣ板が設けられていない構成とされている。【選択図】図１
2010077777.tif 000002
【特許請求の範囲】
【請求項１】
下階の建物ユニットの上に上階の建物ユニットを組み付けて成るユニット建物であって、
前記下階の建物ユニット及び前記上階の建物ユニットは、天井側にＡＬＣ板から成る天井パネルが設けられており、床側にはＡＬＣ板が設けられていないことを特徴とするユニット建物。
【請求項２】
前記上階の建物ユニットの床梁に根太が接合され、該根太の上に床板が貼設されているとともに、前記下階の建物ユニットの天井梁にＡＬＣ板から成る前記天井パネルが前記根太の下面と間隔をあけて接合されていることを特徴とする請求項１に記載のユニット建物。
【請求項３】
前記下階の建物ユニット及び前記上階の建物ユニットの壁もＡＬＣ板から成ることを特徴とする請求項１又は２に記載のユニット建物。
【請求項４】
ＡＬＣ板から成る前記天井パネルと前記下階の建物ユニット及び前記上階の建物ユニットのＡＬＣ板から成る前記壁との間の隙間及び前記下階の建物ユニット及び前記上階の建物ユニットのＡＬＣ板から成る前記壁同士の間の隙間が、耐火材で塞がれていることを特徴とする請求項３に記載のユニット建物。
【請求項５】
前記根太又は前記床板の下面とＡＬＣ板から成る前記天井パネルとの間隔の少なくとも一部分に減衰材が介在して設けられていることを特徴とする請求項１乃至４のいずれか１項に記載のユニット建物。
【請求項６】
天井側にＡＬＣ板から成る天井パネルが設けられており、床側にはＡＬＣ板が設けられていないことを特徴とする建物ユニット。
【発明の詳細な説明】
【技術分野】
【０００１】
本発明は、下階の建物ユニットの上に上階の建物ユニットを組み付けて成るユニット建物及び同ユニット建物を構成する建物ユニットに関するものである。
【背景技術】
【０００２】
従来から、下階の建物ユニットの上に上階の建物ユニットを組み付けて成るユニット建物において、建物ユニットの天井側及び床側にＡＬＣ板を設けて必要な耐火性能を持たせることは公知である（特許文献１などを参照）。
【特許文献１】特開平０６−２８８０２２号公報
【発明の開示】
【発明が解決しようとする課題】
【０００３】
しかしながら、上記した従来のユニット建物では、建物ユニットの天井側及び床側の双方にＡＬＣ板を設けていたため、ユニット建物の最下階の床側までＡＬＣ板が設けられることとなり、無駄にユニット建物の重量を大きくして、ユニット建物の耐久性を低下させていた。
【０００４】
また、コスト面でも、無駄に多くのＡＬＣ板を用いていたので、不経済であった。
【０００５】
そこで、本発明は、必要な耐火性を有するうえで、重量を小さくして、耐久性を向上させることができ、経済的に実施できるユニット建物及び同ユニット建物を構成する建物ユニットを提供することを目的としている。
【課題を解決するための手段】
【０００６】
前記目的を達成するために、本発明のユニット建物は、下階の建物ユニットの上に上階の建物ユニットを組み付けて成るユニット建物であって、前記下階の建物ユニット及び前記上階の建物ユニットは、天井側にＡＬＣ板から成る天井パネルが設けられており、床側にはＡＬＣ板が設けられていないことを特徴とする。
【０００７】
ここで、前記上階の建物ユニットの床梁に根太が接合され、該根太の上に床板が貼設されているとともに、前記下階の建物ユニットの天井梁にＡＬＣ板から成る前記天井パネルが前記根太の下面と間隔をあけて接合されているとよい。
【０００８】
また、前記上階の建物ユニット及び前記下階の建物ユニットの壁もＡＬＣ板から成るとよい。
【０００９】
さらに、ＡＬＣ板から成る前記天井パネルと前記下階の建物ユニット及び前記上階の建物ユニットのＡＬＣ板から成る前記壁との間の隙間及び前記下階の建物ユニット及び前記上階の建物ユニットのＡＬＣ板から成る前記壁同士の間の隙間が、耐火材で塞がれているとよい。
【００１０】
また、前記根太又は前記床板の下面とＡＬＣ板から成る前記天井パネルとの間隔の少なくとも一部分に減衰材が介在して設けられているとよい。
【００１１】
本発明の建物ユニットは、天井側にＡＬＣ板から成る天井パネルが設けられており、床側にはＡＬＣ板が設けられていないことを特徴とする。
【発明の効果】
【００１２】
このような本発明のユニット建物は、下階の建物ユニットの上に上階の建物ユニットを組み付けて成るユニット建物であって、下階の建物ユニット及び上階の建物ユニットは、天井側にＡＬＣ板から成る天井パネルが設けられており、床側にはＡＬＣ板が設けられていない構成である。
【００１３】
こうした構成なので、ユニット建物の最下階の床部には、ＡＬＣ板は設けられないため、必要な耐火性を有するうえで、その分、重量を小さくして、耐久性を向上させることができ、経済的に実施することができる。
【００１４】
ここで、上階の建物ユニットの床梁に根太が接合され、根太の上に床板が貼設されているとともに、下階の建物ユニットの天井梁にＡＬＣ板から成る天井パネルが根太の下面と間隔をあけて接合されている場合は、上階部分の床板の振動が下階部分の天井パネルへ直接伝わらないため、下階部分への騒音を低減することができる。
【００１５】
また、上階の建物ユニット及び下階の建物ユニットの壁もＡＬＣ板から成る場合は、ユニット建物の耐火性能をより高めることができる。
【００１６】
さらに、ＡＬＣ板から成る天井パネルと下階の建物ユニット及び上階の建物ユニットのＡＬＣ板から成る壁との間の隙間及び下階の建物ユニット及び上階の建物ユニットのＡＬＣ板から成る壁同士の間の隙間が、耐火材で塞がれている場合は、ユニット建物の耐火性能をさらにより高めることができる。
【００１７】
また、根太又は床板の下面とＡＬＣ板から成る天井パネルとの間隔の少なくとも一部分に減衰材が介在して設けられている場合は、上階部分の床の振動を減衰材が吸収するため、下階部分への騒音をより低減することができる。
【００１８】
このような本発明の建物ユニットは、天井側にＡＬＣ板から成る天井パネルが設けられており、床側にはＡＬＣ板が設けられていない構成であるので、上記した効果を奏するユニット建物を構築することができる。
【発明を実施するための最良の形態】
【００１９】
以下、本発明を実現する最良の形態を、図面に示す実施例１〜３に基づいて説明する。
【実施例１】
【００２０】
先ず、実施例１について説明する。
【００２１】
図１は、実施例１のユニット建物１の概略構成を示している。
【００２２】
このユニット建物１は、１階の建物ユニット１Ａの上に２階の建物ユニット１Ｂを組み付けて成る。
【００２３】
そして、これらの１階の建物ユニット１Ａ及び２階の建物ユニット１Ｂには、天井側にＡＬＣ（軽量発泡コンクリート）板から成る天井パネル６が設けられており、床側にはＡＬＣ板は設けられておらず、この床側は、鋼製の根太３，・・・の上面にパーチクルバードから成る床板４が接着剤などで貼設されており、天井側よりも軽量な構成とされている。
【００２４】
なお、根太３，・・・は、鋼製のものに限定されず、木製のものなどで実施してもよい。
【００２５】
また、１階の建物ユニット１Ａと２階の建物ユニット１Ｂとの間は、図２に示したように、２階の建物ユニット１Ｂの溝形鋼の床梁２に鋼製の根太３，・・・がビス９，９によりそれぞれ接合され、根太３，・・・の上面にパーチクルボードから成る床板４が接着剤などで貼設されている。
【００２６】
そして、１階の建物ユニット１Ａの溝形鋼の天井梁５にＡＬＣ板から成る天井パネル６が根太３，・・・の下面と間隔をあけてビス１０，・・・により接合されている。
【００２７】
ここで、１階の建物ユニット１Ａの壁（外壁）１ａ及び２階の建物ユニット１Ｂの壁（外壁）１ｂにも、ＡＬＣ板から成るものが使用されている。
【００２８】
なお、１階の建物ユニット１Ａの壁１ａの上端部と２階の建物ユニット１Ｂの壁１ｂの下端部との間の隙間は、ビス１２，・・・により化粧材１１Ａで塞がれている。
【００２９】
さらに、２階の建物ユニット１Ｂの上部は、１階の建物ユニット１Ａの上部と同様、図３に示したように、溝形鋼の天井梁５にＡＬＣ板から成る天井パネル６がビス１０，・・・により接合されている。
【００３０】
なお、２階の建物ユニット１Ｂの壁１ｂの上端部と天井パネル６の側端との間の隙間は、ビス１２，・・・により化粧材１１Ｂで塞がれている。
【００３１】
次に実施例１の作用効果について説明する。
【００３２】
このような実施例１のユニット建物１は、１階の建物ユニット１Ａの上に２階の建物ユニット１Ｂを組み付けて成るものであり、１階の建物ユニット１Ａ及び２階の建物ユニット１Ｂは、天井側にＡＬＣ板から成る天井パネル６がそれぞれ設けられており、床側にはＡＬＣ板が設けられていない構成である。
【００３３】
こうした構成なので、ユニット建物１の最下階の１階部分の床部には、ＡＬＣ板は設けられないため、必要な耐火性を有するうえで、その分、重量を小さくして、耐久性を向上させることができ、経済的に実施することができる。
【００３４】
ここで、２階の建物ユニット１Ｂの床梁２に根太３，・・・が接合され、根太３，・・・の上に床板４が貼設されているとともに、１階の建物ユニット１Ａの天井梁５にＡＬＣ板から成る天井パネル６が根太３，・・・の下面と間隔をあけて接合されているので、２階部分の床板４の振動が１階部分の天井パネル６へ直接伝わらないため、１階部分への騒音を低減することができる。
【００３５】
また、１階の建物ユニット１Ａ及び２階の建物ユニット１Ｂの壁もＡＬＣ板から成るので、ユニット建物１の耐火性能をより高めることができる。
【００３６】
さらに、このような実施例１の建物ユニット１Ａ，１Ｂは、天井側にＡＬＣ板から成る天井パネル６が設けられており、床側にはＡＬＣ板が設けられていない構成であるので、上記した作用効果を奏するユニット建物１を構築することができる。
【実施例２】
【００３７】
次に、実施例２について説明する。
【００３８】
なお、上記実施例１で説明した内容と同一乃至均等な部分の説明については同一符号を付して説明する。
【００３９】
この実施例２のユニット建物１では、１階の建物ユニット１Ａと２階の建物ユニット１Ｂとの間は、図４に示したように、１階の建物ユニット１Ａの溝形鋼の天井梁５に接合されたＡＬＣ板から成る天井パネル６と１階の建物ユニット１Ａ及び２階の建物ユニット１ＢのＡＬＣ板から成る壁１ａ，１ｂとの間の隙間及びＡＬＣ板から成る壁１ａ，１ｂ同士の間の隙間が、ビス１３，・・・により、耐火材７でそれぞれ塞がれている。
【００４０】
そして、２階の建物ユニット１Ｂの上部も、図５に示したように、溝形鋼の天井梁５に接合されたＡＬＣ板から成る天井パネル６とＡＬＣ板から成る壁１ｂとの間の隙間が、ビス１３，・・・により、耐火材７で塞がれていることが、上記実施例１と主に異なる。
【００４１】
なお、耐火材７としては、ロックウール、グラスウールなどが好適に使用される。
【００４２】
よって、この実施例２では、耐火材７が設けられている分、実施例１に比して、ユニット建物１の耐火性能をさらにより高めることができる。
【００４３】
なお、他の構成及び作用効果については、上記実施例１と略同様であるので説明を省略する。
【実施例３】
【００４４】
次に、実施例３について説明する。
【００４５】
なお、上記実施例１で説明した内容と同一乃至均等な部分の説明については同一符号を付して説明する。
【００４６】
この実施例３のユニット建物では、１階の建物ユニット１Ａと２階の建物ユニット１Ｂとの間において、図６に示したように、根太３の下面とＡＬＣ板から成る天井パネル６との間隔の一部分に減衰材８が介在して設けられていることが、上記実施例１と主に異なる。
【００４７】
ここで、減衰材８としては、減衰ゴム、ロックウール、スポンジ材などの減衰効果を発揮する様々なものが好適に使用される。
【００４８】
なお、この減衰材８は、根太３，・・・の下面とＡＬＣ板から成る天井パネル６との間隔の全体に介在して設ける必要はなく、図示したように、天井パネル６の一部分だけに介在して設ければよい。
【００４９】
よって、この実施例３では、根太３とＡＬＣ板から成る天井パネル６との間に減衰材８が介在して設けられている分、実施例１に比して、２階部分の床の振動を減衰材８が吸収するため、１階部分への騒音をより低減することができる。
【００５０】
なお、他の構成及び作用効果については、上記実施例１と略同様であるので説明を省略する。
【００５１】
以上、図面を参照して、本発明の最良の実施の形態について実施例１〜３をもとに詳述してきたが、具体的な構成は、上記した実施例１〜３に限らず、本発明の要旨を逸脱しない程度の設計的変更は、本発明に含まれる。
【００５２】
上記実施例１〜３のユニット建物では、説明を簡単にするために、ユニット建物１を単純な２階建ての構成としたが、これに限定されない。
【００５３】
すなわち、３階以上のユニット建物を構築して実施しても、同様の作用効果が得られる。
【図面の簡単な説明】
【００５４】
【図１】実施例１のユニット建物の概略構成を示す縦断面図である。
【図２】図１のＡ部拡大図である。
【図３】図１のＢ部拡大図である。
【図４】実施例２のユニット建物におけるＡ部拡大図である。
【図５】実施例２のユニット建物におけるＢ部拡大図である。
【図６】実施例３のユニット建物におけるＡ部拡大図である。
【符号の説明】
【００５５】
１      ユニット建物
１Ａ    １階の建物ユニット（下階の建物ユニット）
１Ｂ    ２階の建物ユニット（上階の建物ユニット）
１ａ    １階の建物ユニットの壁（下階の建物ユニットの壁）
１ｂ    ２階の建物ユニットの壁（上階の建物ユニットの壁）
２      ２階の建物ユニットの床梁（上階の建物ユニットの床梁）
３      根太
４      床板
５      １階の建物ユニットの天井梁（下階の建物ユニットの天井梁）
６      天井パネル
７      耐火材
８      減衰材
【図１】
2010077777.tif 000003
【図２】
2010077777.tif 000004
【図３】
2010077777.tif 000005
【図４】
2010077777.tif 000006
【図５】
2010077777.tif 000007
【図６】
2010077777.tif 000008